(57)【特許請求の範囲】
【請求項１】
電子部品、電気部品（１）が搭載されたプリント配線板（２）を担持する複数個の脚部（３、３、…）が前記プリント配線板を収納する筐体の一面（５）に立設され、前記複数個の脚部に担持された前記プリント配線板および該プリント配線板に搭載された前記電子部品、電気部品のいずれか一方を、前記一面の方向に拘持する爪（４、４）を有するプリント配線板固定構造であって、
前記爪は、前記一面に立設された爪脚（４１）と、前記爪脚に延設され前記プリント配線板を拘持する第１の拘持部（４２）と、前記第１の拘持部に隣接して設けられ、該第１の拘持部、前記一面間距離（ｘ）と異なる距離（ｙ）を有し、前記プリント配線板に搭載された前記電子部品、電気部品を拘持する第２の拘持部（４３）とからなることを特徴とするプリント配線板固定構造。
【発明の詳細な説明】
【０００１】
【発明の属する技術分野】
本発明はプリント配線板固定構造に係わり、特に、搭載された電子部品、電気部品自体の拘持が可能なプリント配線板固定構造に関する。
【０００２】
【従来の技術】
図４（ｂ）に示すように、電話機、インターホン、およびそれらの附属品等に採用されるプリント配線板２Nには、小さな電子部品1Bだけでなく、大きな力が加わる電子部品または大型の電気部品1Aがプリント配線板２Nの下面に搭載されることもある。
【０００３】
従来、図４（ａ）に示すように、小さな電子部品１（１B）が搭載されたプリント配線板２０は、筐体の一面５０に立設された複数個の脚部３、３、…によって担持されるとともに、筐体の一面５０に立設された爪４０、４０によって一面５０の方向に拘持される（図５（ａ）に示すように、複数個の脚部３、３、…による上向きの力Ｓに担持され、爪４０の拘持部４９による下向きの力Ｐで拘持される）。この爪４０は、爪脚４１および爪脚４１に延設された拘持部４９からなっている。
【０００４】
図４（ｂ）に示すように、プリント配線板２Nに搭載された電子部品１（１A）が、ＡＣ直結端子や各種ターミナルダイのようにプリント配線板２Nとほぼ同長のものであるときには、電子部品１Aはプリント配線板２Nに対してはんだ付け等により固定されているので、電子部品１Aが搭載されたプリント配線板２Nは、複数個の脚部３、３、…と、爪４０の拘持部４８に拘持された電子部品１Aを介した状態で筐体内に固定されている（図５（ｂ）に示すように、複数個の脚部３、３、…による上向きの力Ｓに担持され、爪４０の拘持部４８による下向きの力Ｑで拘持される）。すなわち、プリント配線板２に切り欠き２９、２９を設け、爪４０、４０はプリント配線板２Nではなく、切り欠き２９部分で電子部品１Aそのものを拘持する。従って、爪４０の拘持部４８は、上述の拘持部４９より一面５０に近く形成されている。
【０００５】
爪４０の拘持部４９で直接プリント配線板２Nを拘持しないのは以下の理由による。
ＡＣ直結端子や各種ターミナルダイのように大きな力が加わる電子部品または大型の電気部品１Aをプリント配線板２Nに搭載するとき、はんだ付けされた電気部品１A、プリント配線板２N間の多少の間隙は避けられない。筐体の一面５０から電気部品１Aに振動や大きな力が加わった場合に、プリント配線板２Nが複数個の脚部３、３、…と爪４０の拘持部４９に挟まれた状態であると、プリント配線板２Nにも大きな力が加わり、大きな力が加わる電子部品または大型の電気部品１Aのはんだ付け部剥離やトンネルなどのはんだ付け不具合が発生する。
【０００６】
大きな力が加わる電子部品または大型の電気部品１Aが爪４０の拘持部４８に拘持され、プリント配線板２Nは複数個の脚部３、３、…に支えられていれば、筐体の一面５０から電気部品１Aに振動や大きな力が加わった場合でも、プリント配線板２Nのはんだ付け面には力が加わわらず、はんだ付け部剥離やトンネルなどのはんだ付け不具合の発生を防ぐことができる。
【０００７】
【発明が解決しようとする課題】
ところで、従来のプリント配線板固定構造では、同大のプリント配線板を採用しても、電子部品、電気部品１としてＡＣ直結端子や各種ターミナルダイのように大きな力が加わる電子部品または大型の電気部品１Aが搭載されるときには、図５（ｂ）に示すように、爪４０の拘持部４８は筐体の一面５０に近く成型され、搭載するのが小型の電子部品１Bであるときには、同図（ａ）に示すように、爪４０の拘持部４９は筐体の一面５０から離れて成型される（ｘ＞ｙ）。このように筐体の一面５０に設けられる爪４０に汎用性がないため、大きな力が加わる電子部品または大型の電気部品１Aが搭載されるときには、筐体を別製造しなければならないという難点があった。
【０００８】
本発明は、上記従来の難点を解決するためになされたもので、プリント配線板そのものおよびプリント配線板に搭載された大きな力が加わる電子部品または大型の電気部品のいずれか一方を用いてプリント配線板を固定することが可能なプリント配線板固定構造を提供することを目的とする。
【０００９】
【課題を解決するための手段】
本発明によるプリント配線板固定構造は、電子部品、電気部品が搭載されたプリント配線板を担持する複数個の脚部がプリント配線板を収納する筐体の一面に立設され、複数個の脚部に担持されたプリント配線板およびプリント配線板に搭載された電子部品、電気部品のいずれか一方を、一面の方向に拘持する爪を有するプリント配線板固定構造であって、爪は、一面に立設された爪脚と、爪脚に延設されプリント配線板を拘持する第１の拘持部と、第１の拘持部に隣接して設けられ、第１の拘持部、一面間距離と異なる距離を有し、プリント配線板に搭載された電子部品、電気部品を拘持する第２の拘持部とからなるものである。
【００１０】
爪の第１の拘持部および第２の拘持部を使い分けることにより、同一の爪で、プリント配線板そのものおよびプリント配線板に搭載された大きな力が加わる電子部品または大型の電気部品を拘持してプリント配線板を固定することが可能となる。
【００１１】
【発明の実施の形態】
以下、本発明によるプリント配線板固定構造の実施例を図面を参照して詳述する。
図１（ａ）に示すように、プリント配線板を収納する筐体の一面５には、２対の脚部３および１対の爪４が立設されている。
【００１２】
脚部３は、同図のように断面がかぎ型でも、四角柱形状（図示せず）でも好適である。
爪４は、一面５に立設された爪脚４１と、爪脚４１に延設されプリント配線板を拘持する第１の拘持部４２と、第１の拘持部４２の両側に設けられ、第１の拘持部４２より一面に近く（ｘ＞ｙ）、プリント配線板に搭載された電子部品を拘持する第２の拘持部４３とからなる。
【００１３】
図１（ｂ）および図２（ａ）に示すように、小型の電子部品１Bだけが搭載されるプリント配線板２（２M）は、爪４に拘持される位置に被拘持部２７を残し両脇は切り欠き２８、２８に成型され、このプリント配線板２Mは、筐体の一面５に立設された複数個の脚部３、３、…によって担持されるとともに、被拘持部２７が爪４の第１の拘持部４２によって一面５の方向に拘持される（複数個の脚部３、３、…により上向きの力Ｓに担持され、爪４の第１の拘持部４２により下向きの力Ｒで拘持される）。
【００１４】
図１（ｃ）および図２（ｂ）に示すように、ＡＣ直結端子や各種ターミナルダイのようにプリント配線板２Nとほぼ同長の電子部品１（１A）がプリント配線板２Nの下面に搭載されるとき、プリント配線板２Nは、爪４に拘持される位置に切り欠き２９が穿設され、電子部品、電気部品１Aはプリント配線板２Nに対してはんだ付け等により固定されているので、このプリント配線板２Nは、筐体の一面５に立設された複数個の脚部３、３、…によって担持されるとともに、プリント配線板２Nに固定された大きな力が加わる電子部品または大型の電気部品１Aを介して爪４の第２の拘持部４３によって一面５の方向に拘持される（複数個の脚部３、３、…により上向きの力Ｓに担持され、爪４の第２の拘持部４３ににより下向きの力Ｔ、Ｔで拘持される）。
【００１５】
また、図３（ａ）〜（ｅ）に示すように、爪４は、一面５に立設された爪脚４１と、爪脚４１に延設されプリント配線板を拘持する第１の拘持部４２’、４２’と、第１の拘持部４２’に挟まれ、第１の拘持部４２’より一面に近く（ｘ＞ｙ）、プリント配線板に搭載された電子部品、電気部品を拘持する第２の拘持部４３’とからなる。
【００１６】
同図（ｂ）および（ｄ）に示すように、小型の電子部品１Bだけが搭載されるプリント配線板２（２M）は、爪４に拘持される位置に被拘持部２７を残し中央切り欠き２９が成型され、このプリント配線板２Mは、筐体の一面５に立設された複数個の脚部３、３、…によって担持されるとともに、被拘持部２７が爪４の第１の拘持部４２’、４２’によって一面５の方向に拘持される（複数個の脚部３、３、…により上向きの力Ｓに担持され、爪４の第１の拘持部４２により下向きの力Ｒで拘持される）。
【００１７】
同図１（ｃ）および（ｅ）に示すように、ＡＣ直結端子や各種ターミナルダイのようにプリント配線板２Nとほぼ同長の大きな力が加わる電子部品または大型の電気部品１（１A）がプリント配線板２Nの下面に搭載されるとき、プリント配線板２Nは、爪４に拘持される位置に切り欠き２９が穿設され、大きな力が加わる電子部品または大型の電気部品１Aはプリント配線板２Nに対してはんだ付け等により固定されているので、このプリント配線板２Nは、筐体の一面５に立設された複数個の脚部３、３、…によって担持されるとともに、プリント配線板２Nに固定された大きな力が加わる電子部品または大型の電気部品１Aを介して爪４の第２の拘持部４３’によって一面５の方向に拘持される（複数個の脚部３、３、…により上向きの力Ｓに担持され、爪４の第２の拘持部４３’により下向きの力Ｔで拘持される）。
【００１８】
プリント配線板２Nに大きな力が加わる電子部品または大型の電気部品１Aが搭載されたときには、このように爪４の拘持部４２、４２’で直接プリント配線板２を拘持せずに、プリント配線板２の下面に固定された大きな力が加わる電子部品または大型の電気部品１Aを拘持するので、筐体の一面５から電気部品１Aに振動や力が加わったとき、プリント配線板２Nはのはんだ付け面には力が加わわらず、はんだ付け部剥離やトンネルなどのはんだ付け不具合の発生を防ぐことができる。
【００１９】
以上のように、１つの爪４に、筐体の一面５との距離が異なる第１の拘持部４２、４２’および第２の４３、４３’を設けたので（図１（ａ）のｘ＞ｙ、図３（ａ）のｘ＞ｙ）、搭載する電子部品、電気部品１の種類に応じて、プリント配線板２に切り欠き２８、または切り欠き２９を設ければ、同一の筐体を使用して、小さな電子部品１Bのみを搭載したプリント配線板２Mも、大きな力が加わる電子部品または大型の電気部品１Aを搭載したプリント配線板２Nも固定可能である。
【００２０】
【発明の効果】
以上の実施例からも明らかなように、本発明によるプリント配線板固定構造は、電子部品、電気部品が搭載されたプリント配線板を担持する複数個の脚部がプリント配線板を収納する筐体の一面に立設され、複数個の脚部に担持されたプリント配線板およびプリント配線板に搭載された電子部品、電気部品のいずれか一方を、一面の方向に拘持する爪を有するプリント配線板固定構造であって、爪は、一面に立設された爪脚と、爪脚に延設されプリント配線板を拘持する第１の拘持部と、第１の拘持部に隣接して設けられ、第１の拘持部、一面間距離と異なる距離を有し、プリント配線板に搭載された電子部品、電気部品を拘持する第２の拘持部とからなるので、爪の第１の拘持部および第２の拘持部を使い分けることにより、同一の爪で、プリント配線板そのものを拘持して固定することも、プリント配線板に搭載された大きな力が加わる電子部品または大型の電気部品を拘持してプリント配線板を固定することも可能である。
【図面の簡単な説明】
【図１】  （ａ）〜（ｃ）は、本発明によるプリント配線板固定構造を説明する図である。
【図２】  （ａ）、（ｂ）は、本発明によるプリント配線板固定構造を説明する図である。
【図３】  （ａ）〜（ｅ）は、本発明によるプリント配線板固定構造を説明する図である。
【図４】  従来のプリント配線板固定構造を示す図である。
【図５】  従来のプリント配線板固定構造を示す図である。
【符号の説明】
１  ‥電子部品、電気部品
２（２M、２N）  ‥プリント配線板
３  ‥脚部
４  ‥爪
４１  ‥爪脚
４２  ‥第１の拘持部
４３  ‥第２の拘持部
５  ‥筐体の一面
ｘ  ‥第１の拘持部、一面間距離
ｙ  ‥第２の拘持部、一面間距離
【図１】
0003847392.tif 000002
【図２】
0003847392.tif 000003
【図３】
0003847392.tif 000004
【図４】
0003847392.tif 000005
【図５】
0003847392.tif 000006